(57)【要約】【課題】  レンズ鏡筒とレンズ鏡筒上部に配置されるストロボユニットと鏡筒を保護する導電性を持つスライドバリアとを有する撮像機器において、レンズ鏡筒とストロボユニットとスライドバリアとを省スペースでレイアウト可能とすると共に、撮像機器の小型化を達成する。【解決手段】  レンズ鏡筒とストロボユニットとの間に形成される空間に、ストロボと導電性を持つスライドバリアの絶縁部材を配し、絶縁部材は弾性も有し、導電性を持つスライドバリアのバリア閉時の突き当て部材を兼ねる構造とした。【選択図】  図２
2009300964.tif 000002
【特許請求の範囲】
【請求項１】
レンズ鏡筒（８）とレンズ鏡筒上部に配置されるストロボユニット（６）と鏡筒を保護する導電性を持つスライドバリア（１１）とを有する撮像機器において、レンズ鏡筒（８）とストロボユニット（６）との間に形成される空間に、ストロボと導電性を持つスライドバリアの絶縁部材（９）を配し、前記絶縁部材（９）は弾性も有し、導電性を持つスライドバリア（１１）のバリア閉時の突き当て部材を兼ねることを特徴とする撮像機器。
【請求項２】
前記導電性を持つスライドバリア（１１）が金属であることを特徴とする請求項１に記載の撮像機器。
【請求項３】
前記導電性を持つスライドバリア（１１）の移動方向は、前記レンズ鏡筒（８）の光軸中心とストロボ開口中心とを結んだ軸と平行であることを特徴とする請求項１または請求項２に記載の撮像機器。
【発明の詳細な説明】
【技術分野】
【０００１】
本発明は、レンズ鏡筒とストロボユニットと鏡筒を保護するスライドバリアとを有する撮像機器に関するものである。
【背景技術】
【０００２】
従来の撮像機器には、レンズ鏡筒とストロボユニットと鏡筒を保護するスライドバリアとを設けさせたものが有る。
【特許文献１】特開平10-319480号公報
【発明の開示】
【発明が解決しようとする課題】
【０００３】
しかしながら、上記従来例を所謂縦型と呼ばれる撮像機器に用いると、バリアは開閉の為に回転動作を必要とするのでバリア退避分のスペースが必要となり、撮像機器の薄型化・意匠性を阻害するような良くない点があった。
【課題を解決するための手段】
【０００４】
本発明における撮像機器では、第１の技術手段として、レンズ鏡筒とレンズ鏡筒上部に配置されるストロボユニットと鏡筒を保護する導電性を持つスライドバリアとを有する撮像機器において、レンズ鏡筒とストロボユニットとの間に形成される空間に、ストロボと導電性を持つスライドバリアの絶縁部材を配し、絶縁部材は弾性も有し、導電性を持つスライドバリアのバリア閉時の突き当て部材を兼ねることを特徴としている。
【０００５】
また第２の技術手段は、前記導電性を持つスライドバリアが金属であることを特徴としている。
【０００６】
また第３の技術手段は、前記導電性を持つスライドバリアの移動方向は、前記レンズ鏡筒の光軸中心とストロボ開口中心とを結んだ軸と略平行であることを特徴とする。
【発明の効果】
【０００７】
請求項１に記載の発明によれば、レンズ鏡筒とストロボユニットとの間に形成される空間に、ストロボと導電性を持つスライドバリアの絶縁部材を配し、前記絶縁部材は弾性も有し、導電性を持つスライドバリアのバリア閉時の突き当て部材を兼ねることにより、静電気によるストロボ誤発光を防ぎ、且つバリア閉時の不快な衝撃音・振動を低減させることが可能となり、撮像機器の小型化・バリア閉時の高品位化が可能となる。
【０００８】
請求項２に記載の発明によれば、スライドバリア部材を金属にすることにより、撮像機器光軸方向の薄型化・意匠性の向上が可能となる。
【０００９】
請求項３に記載の発明によれば、スライドバリアの移動方向は、前記レンズ鏡筒の光軸中心とストロボ開口中心とを結んだ軸と略平行となり、これを縦型撮像機器に用いると撮像機器厚みを不必要に増すことが無くなり、撮像機器の小型化が可能となる。
【発明を実施するための最良の形態】
【００１０】
次に、本発明の詳細を実施例の記述に従って説明する。
【００１１】
以下に、本発明による撮像装置の実施の形態を添付の図面を参照にして詳細に説明する。
【実施例１】
【００１２】
図１（ａ）は本発明の適用されるカメラであって、カメラの電源がＯＦＦされている時の図である。１は撮像機器の電源スイッチ、２は撮像機器外装、３はユーザーが被写体を認識するための液晶表示装置であり、液晶表示装置３はヒンジ機構４に回転可能に保持されている。５は撮像機器の電源がＯＮ及びＯＦＦされることに従って、レンズ鏡筒を保護する位置（バリア閉じ位置：撮像機器電源ＯＦＦ時）と開放する位置（バリア開き位置：撮像機器電源ＯＮ時）に進退可能に取り付けられたバリアユニットである。バリアユニット５が進退する駆動方法の詳細については後述する。６は被写体を照射するストロボ装置、７はレリーズボタンである。
【００１３】
図１（ｂ）は撮像機器の電源ＯＮの状態を示す。８は撮影レンズを有するレンズ鏡筒ユニットであって、図１（ｂ）においては撮像機器の電源がＯＮされることによって、バリアユニット５が閉じ位置から開き位置に退避し、レンズ鏡筒ユニット８が繰り出すことによって撮像機器外装２より突出している。
【００１４】
液晶表示装置３・ヒンジ機構４・ストロボ装置６等は公知の技術であるため詳しい説明は省略し、本実施例の説明においては、本発明の特徴的な技術であるバリアユニット５の周辺について説明する。なお、本発明は上記の構成のみに限定されるものではない。
【００１５】
図２（ａ）は説明容易なように、図１（ｂ）からカメラ外装２等を不図示にし、本発明の構成要素を示した図である。バリアユニット５とレンズ鏡筒ユニット８及び絶縁弾性部材９が図示されている。絶縁弾性部材９の実施形態詳細は後述する。
【００１６】
図２（ｂ）はさらに説明容易なように。図２（ａ）をユニットごとの展開斜視図にした図である。バリアユニット５、レンズ鏡筒ユニット８とバリアユニット５へ圧入される絶縁弾性部材９、そして駆動ユニット１０が図示されている。
【００１７】
バリアユニット５について図３・図４・図５を用いて説明する。
【００１８】
バリアユニット５は、裏面をバリアユニット５として構成する撮像機器外装２、電源ＯＮ・ＯＦＦに従って進退するバリア部材１１、バリアユニット５を構成する部品を保持する保持部材１２、駆動ユニット１０の連結ギア（不図示）と噛み合うギアを有するバリア駆動ギア１３、バリア駆動ギア１３と保持部材１２に保持され、バリア駆動ギア１３を保持部材１２に対して２方向に付勢するバリアトグルばね１４、バリア駆動ギア１３に備えられる駆動ピン１３ａにより回転駆動されるバリア駆動レバー１５、バリア駆動レバー１５をバリア駆動ギア１３に対して付勢するバリア付勢ばね１６、そしてバリア駆動ギア１３・バリアトグルばね１４・バリア駆動レバー１５・バリア付勢ばね１６を保持部材１２に対して覆うカバー部材１７より構成される。
【００１９】
次にバリアユニット５の駆動方法について図４を用いて説明する。なお、図４（ａ）はバリアユニット５の正面図であり、図４（ｂ）は背面図である。図４（ａ）及び図４（ｂ）の両者は共にバリアユニット閉じ（撮像機器の電源ＯＦＦ）状態の図である。
【００２０】
バリア部材１１は撮像機器外装２の裏面に備えられる、レンズ鏡筒の光軸中心とストロボユニット開口部中心を結んだ直線と平行に開閉させる直線規制部（不図示）と嵌合する嵌合部１１ａとバリア駆動レバー１５と当接する駆動ピン部１１ｂを有する。バリア駆動レバー１５はバリア部材の駆動ピン部１１ｂと当接する駆動部１５ａとバリア駆動ギア１３の駆動ピン部１３ａと当接する１５ｂを有する。バリア駆動ギア１３は前述の駆動ピン部１３ａとバリアトグルばね１４の一端を保持する保持部１３ｂ、さらに駆動ユニット１０の連結ギア（不図示）と噛み合うギア部１３ｃを備える。バリア付勢ばね１６は図４（ａ）において、バリア駆動ギア１３とバリア駆動レバー１５とを互いに近づけるように付勢されている。バリアトグルばね１４は一端部１４ａはバリア駆動ギア１３の保持部１３ｂに保持され、さらに他端１４ｂは図３における保持部材１２ａ部に保持されている。バリアトグルばね１４の機能については後述する。
【００２１】
また、バリア駆動ギア１３とバリア駆動レバー１５は図３に示される保持部材１２の軸１２ｂを中心に回転可能支持されている。
【００２２】
バリアユニット５の駆動について説明する。始めにバリア開き動作について説明する。
【００２３】
（１）図４（ａ）において、駆動ユニット１０のＤＣモータ（不図示）からの回転駆動力を中継する連結ギア（不図示）に噛み合うバリア駆動ギア１３のギア部１３ｃにバリア駆動ギア１３が時計回りに回転するような力を与えられる。その結果、バリア駆動ギア５３は保持部材１２に備えられる１２ｂを回転中心として時計回りに回転する。
【００２４】
（２）図５（ａ）に示されるように、バリア駆動ギア１３が時計回りに回転すると、バリアトグルばね１４をチャージしながら、バリア駆動ギア１３の１３ａがバリア駆動レバー１５の当接部１５ｂに当接させ、バリア駆動ギア１３とバリア駆動レバー１５は図中Ａ方向に回転する。この時、バリアトグルばね１４はＢ方向に回転する。バリア部材１１は撮像機器外装２と直進規制部１１ａによって直進規制されているため、バリア駆動レバー１５の当接部１５ａとバリア部材１１の駆動ピン部１１ｂが当接し、バリア駆動ギア１３が回転することによって、バリア部材１１はカム作用により図中Ｃ方向に駆動される。
【００２５】
（３）さらにバリア駆動ギア１３が図中Ａ方向に回転し、所定の回転角度に達すると駆動を停止して、図５（ｂ）の停止位置（電源ＯＮ位置）に停止する。図５（ｂ）の位置において、バリアトグルばね１４はバリア駆動ギア１３をＡ方向に回転させるように力をかけている。このため、バリア駆動ギア１３がガタつくことがなく、その結果、バリア部材１１がガタつくことはない。
【００２６】
上記に示される駆動により、バリア部材１１を閉じ位置（電源ＯＦＦ状態）から開き位置（電源ＯＮ状態）に駆動することが可能となる。上記バリア部材１１駆動方向は、レンズ鏡筒の光軸中心とストロボユニット開口部中心を結んだ方向であり、縦型撮像機器における本体厚みを不必要に増すことが無く、撮像機器の小型化が可能となる。
【００２７】
次にバリアユニット閉じ駆動について説明する。
【００２８】
（４）図５（ｂ）のバリア開き位置から、バリア駆動ギア１３をバリア開き方向とは逆方向である図５（ａ）の反Ａ方向に回転させる。その時、バリアトグルばね１４は反Ｂ方向に回転する。バリア駆動ギア１３が反Ａ方向に回転することによって、バリア駆動レバー１５の当接部１５ａを当接させてバリア部材１１を反Ｃ方向に駆動する。
【００２９】
（５）バリア駆動ギア１３が所定の回転角度を回転し、バリア部材１１が保持部材１２に備えられる絶縁弾性部材９に当接するとバリア部材１１の閉じ駆動が終了する。
【００３０】
（６）バリア駆動ギア１３はさらに回転し（オーバーチャージ）、所定の回転角度にて図４（ａ）の位置にて停止する。この時、オーバーチャージ分の回転角度があるため、カメラの電源ＯＦＦ状態では、図４（ａ）のようにバリア駆動ギア１３の駆動ピン部１３ａとバリア駆動レバー１５の当接部１５ｂが離れている。この時、バリアトグルばね１４はバリア駆動ギア１３を反Ａ方向に付勢している。この作用により、バリア駆動ギア１３がガタつくことはない。
【００３１】
以上のようにしてバリア部材１１を撮像機器の電源ＯＮ・ＯＦＦに従って駆動させることが可能となる。バリア駆動ギア１３は駆動ユニット１０の連結ギア（不図示）に噛み合っているため、バリア部材１１の駆動はＤＣモータ（不図示）を有する駆動ユニット１０に従って行われる。
【００３２】
図６を用いて、絶縁弾性部材９の実施形態詳細を説明する。図６は撮像機器の光軸中心における縦断面図を示す。ストロボ発光は、発光電気回路部（不図示）にて昇圧させた数ｋＶの高電圧をキセノン管１８に当接するリフレクタ１９から発生させることによりキセノン管１８を励起し、可能となっている。この絶縁弾性部材９を配することにより、金属で導電性の有るバリア部材１１からのキセノン管１８への静電気の回り込みによる誤発光を防ぐことが、省スペースの中でも可能となる。さらに絶縁弾性部材９はバリア閉じ駆動における、終盤のバリアトグルバネで付勢されているバリア部材１１の付き当て部材でも有り、弾性を用いて不快な衝撃音・振動を低減する役目も併せ持つ。
【００３３】
以上の様に上記実施例によれば、レンズ鏡筒とストロボユニットとスライドバリアとを省スペースでレイアウトが可能となり、撮像機器の小型化・意匠性の向上・バリア閉時の不快な衝撃音・振動を低減させることが可能となる。
【図面の簡単な説明】
【００３４】
【図１】（ａ）カメラ全体図（電源ＯＦＦ時）、（ｂ）カメラ全体図（電源ＯＮ時）。
【図２】（ａ）本発明の実施例であるバリアユニット５及びレンズ鏡筒ユニット８の斜視図、（ｂ）本発明の実施例であるバリアユニット５及びレンズ鏡筒ユニット８の分解斜視図。
【図３】バリアユニット５の展開斜視図。
【図４】（ａ）バリアユニット５の駆動方法を説明するための正面図、（ｂ）バリアユニット５の駆動方法を説明するための背面図。
【図５】（ａ）バリアユニット５の駆動方法を説明するための図（正面図）、（ｂ）バリアユニット５の駆動方法を説明するための図（背面図）。
【図６】撮像機器の光軸中心における縦断面図。
【符号の説明】
【００３５】
１  電源スイッチ
２  撮像機器外装
３  液晶表示装置
４  ヒンジ機構
５  バリアユニット
６  ストロボ装置
７  レリーズボタン
８  レンズ鏡筒ユニット
９  絶縁弾性部材
１０  駆動ユニット
1１  バリア部材
1１ａ  カメラ外装２との嵌合部、
1１ｂ  バリア駆動レバー１７と係合する駆動ピン部
1２  保持部材、
1２ａ  バリアトグルばね１４の保持部
1２ｂ  バリア駆動ギア１３、バリア駆動レバー１５の回転中心
1３  バリア駆動ギア
1３ａ  バリア駆動レバー１５を駆動する駆動ピン部
1３ｂ  バリアトグルばね１４の一端を保持する保持部
1３ｃ  駆動ユニットと連結するギア部
１４  バリアトグルばね
１４ａ  バリア駆動ギアとの保持部
１４ｂ  保持部材１２との保持部
１５  バリア駆動レバー
１５ａ  バリア部材の駆動ピンとの当接部
１５ｂ  バリア駆動ギア１３との当接部
１６  バリア付勢ばね
１７  カバー部材
１８  キセノン管
１９  リフレクタ
【図１】
2009300964.tif 000003
【図２】
2009300964.tif 000004
【図３】
2009300964.tif 000005
【図４】
2009300964.tif 000006
【図５】
2009300964.tif 000007
【図６】
2009300964.tif 000008